(57)【要約】      （修正有）【課題】グリップ全体を均一状に暖めることができるようにして、グリップの交換作業が簡単容易にかつ正確迅速に行なえるゴルフクラブのグリップ加熱ボックスを提供する。【解決手段】グリップ５を収容可能な内部空間を有するボックス本体１の一側面に、温風器からの熱風をボックス本体１内に吹き込むための吹込口を設けると共に、ボックス本体１の上壁１ａに貫通孔１ｂを設け、この貫通孔１ｂにグリップ付シャフト４やグリップ５の挿入を許し、かつグリップ付シャフト４やグリップ５を保持する保持部材６を設けた。【選択図】図３
0003160549.tif 000002
【実用新案登録請求の範囲】
【請求項１】
グリップを収容可能な内部空間を有するボックス本体の一側面に、温風器からの熱風をボックス本体内に吹き込むための吹込口を有していると共に、ボックス本体の上壁に貫通孔を設け、この貫通孔にグリップ付シャフトやグリップの挿入を許し、かつグリップ付シャフトやグリップを保持する保持部材を備えていることを特徴とするゴルフクラブのグリップ加熱ボックス。
【請求項２】
保持部材は、ゴム等の弾性体からなると共に中心部に十字状の切り目からなる保持口を有し、保持口は常時は閉鎖状で、グリップ付シャフトやグリップの挿入により切り目部分が内方に弾性変形してグリップ付シャフトやグリップの挿入を許し、かつその弾性復元力によりグリップ付シャフトを起立状態に又グリップを吊り下げ状態に保持するようにしたことを特徴とする請求項１記載のゴルフクラブのグリップ加熱ボックス。
【考案の詳細な説明】
【技術分野】
【０００１】  本考案は、ゴルフクラブのシャフトにグリップを取り付けたり、或いは入れ替える際に用いるゴルフクラブのグリップ加熱ボックスに関するものである。
【背景技術】
【０００２】  ゴルフクラブはシャフトとその先端に固定されたクラブヘッド及び他端に固定されたグリップとで構成されている。そして、シャフトとグリップの締結は、グリップが固定されるシャフトの先端部分に両面粘着テープを巻き付け、その先端部分をクリップの軸孔に挿入して両面粘着テープの表面にグリップの軸孔の内周面を接着固定することにより行なわれている。【０００３】  そして、たとえば長期間の使用によりグリップのゴムがガチガチに変質したような場合には、古くなったグリップを新たなグリップに交換するようにしている。その場合、グリップをドライヤーなどで暖め、グリップが軟らかくなった状態のもとでカッターによりこれをカットして取り外し、新たなグリップに交換している。また、グリップが緩んだりしたような場合にも、グリップをドライヤーにより暖め、その後、粘着テープにおける接着剤の溶解液を収容した注射器の針をグリップとシャフトとの間に差し込んで溶解液を注入し、これによりグリップをカットすることなくシャフトから一旦取り外し、シャフトに新たな両端粘着テープを最適状態に巻き付けたうえで、このシャフトを再び取り外したグリップの軸孔に挿入して固定しなおすようにしている。
【考案の概要】
【考案が解決しようとする課題】
【０００４】  ところで、上記したグリップをドライヤーで暖める際、ドライヤーからの熱風をグリップに直接当てて暖めると一部分だけが熱くなり、グリップ全体を均一状に加熱することができなかった。そのため、カッターでカットする際に切れの良い所と切れの悪い所が発生し、スムーズにカットできなくて手間がかかり、簡単容易に交換ができない問題を有していた。また、溶解液を収容した注射器の針をグリップとシャフトとの間に差し込んで溶解液を注入する際にも、注射器の針を入れづらい問題を有していた。さらに、グリップを入れ替える際にも、グリップが均等に加熱されていないと、グリップの口の部分が裂けたり、或いはグリップエンドの最奥端まできっちりとシャフトを入れることが難しく、さらには凸凹やねじれが発生して仕上がりの見栄えも悪くなるといった問題があった。【０００５】  そこで、本考案はグリップ全体を均一状に暖めることができるようにして、グリップの交換作業が簡単容易にかつ正確迅速に行なうことができるゴルフクラブのグリップ加熱ボックスの提供を課題とする。
【課題を解決するための手段】
【０００６】  本願の請求項１記載の考案は、グリップを収容可能な内部空間を有するボックス本体の一側面に、温風器からの熱風をボックス本体内に吹き込むための吹込口を有していると共に、ボックス本体の上壁に貫通孔を設け、この貫通孔にグリップ付シャフトやグリップの挿入を許し、かつグリップ付シャフトやグリップを保持する保持部材を備えていることを特徴とする。なお、ゴルフクラブとはドライバー、アイアンに限らずパターなどを含む概念である。【０００７】  本願の請求項２記載の考案は、保持部材は、ゴム等の弾性体からなると共に中心部に十字状の切り目からなる保持口を有し、保持口は常時は閉鎖状で、グリップ付シャフトやグリップの挿入により切り目部分が内方に弾性変形してグリップ付シャフトやグリップの挿入を許し、かつその弾性復元力によりグリップ付シャフトを起立状態に又グリップを吊り下げ状態に保持するようにしたことを特徴とする。
【考案の効果】
【０００８】  本考案のグリップ加熱ボックスによれば、ボックス本体内に保持した状態のもとで、ボックス本体内に吹き込まれた熱風により、グリップを均一上に加熱することができる。これにより、グリップ全体が均一状に軟らかくなった状態のもとでスムーズにカットでき、グリップの交換作業が簡単容易にかつ正確迅速に行なうことができる。また、溶解液を収容した注射器の針をグリップとシャフトとの間に差し込んで溶解液を注入する際にも、注射器の針を楽に挿入することができ、かつ、溶解液もグリップ全体に回り易くなり、取り外し作業が簡単容易にできる。さらに、グリップを入れ替える際にも、グリップが均等に加熱されているので、グリップの口の部分が裂けたりすることがなく、しかも、グリップエンドの最奥端まできっちりとシャフトを入れることができ、さらには凸凹やねじれの発生も防止できて装着時の見栄えもよくなる。
【図面の簡単な説明】
【０００９】
【図１】本考案に係るゴルフクラブのグリップ加熱ボックスの正面図である。
【図２】同一部省略平面図である。
【図３】使用状態を示す説明図である。
【考案を実施するための形態】
【００１０】  図面は本考案に係るゴルフクラブのグリップ加熱ボックスを示すもので、１はグリップ全体を収容可能な内部空間を有するボックス本体で、その一側面には、熱風をボックス本体１内に吹き込むための筒状の吹込口１１が設けられ、また、ボックス本体１の上壁１ａには、複数の貫通孔１ｂ…１ｂが形成されていると共にボックス本体１内の温度を表示する温度計２が設けられている。そして、筒状の吹込口１１には、たとえば既存のドライヤー等の温風器３が接続される。なお、温風器３としては、既存のドライヤーを用いる他、温度調節が可能な専用温風器を用いてもよい。また、各貫通孔１ｂ…１ｂには、グリップ付シャフト４やグリップ５の挿入を許し、かつシャフト４およびグリップ５を保持する保持部材６…６がそれぞれ取り付けられる。各保持部材６は、図３に示すように弾性を有する円形のゴム体からなり、外周部に貫通孔１ｂへの装着用の嵌合溝６ａが形成されていると共に、中心部に外周部よりも肉薄で十字状の切り目からなる保持口６ｂが形成されている。保持口６ｂは常時は閉鎖状態でボックス本体１内の熱風を逃がさず、また、グリップ付シャフト４やグリップ５の挿入により切り目部分を内方に弾性変形させてグリップ付シャフト４やグリップ５の挿入を許し、かつその弾性復元力によりグリップ付シャフト４を起立状態に又グリップ５を吊り下げ状態に保持できる構造となっている。また、ボックス本体１の底面には各貫通孔１ｂ…１ｂに対応してグリップエンド３ａの位置決めを行なう凹所１ｃ…１ｃがそれぞれ設けられている。
【００１１】  ここで、図３に示すようにグリップ５のみを暖める場合には、グリップ５をボックス本体１から引き抜いて取り出せるように保持部材４にグリップ５を挿入するにあたってグリップエンドの一部が突出する吊り下げ状態で保持する。また、クラブシャフト５に装着されたグリップ３を暖める場合には、シャフト４でグリップ５を引き抜いて引き出すことができるのでグリップ５全体とシャフト４の一部がボックス本体１内に入り込むように差し込む。
【００１２】  次に、以上のように構成したゴルフクラブのグリップ加熱ボックスの作用について説明する。
まず、クラブシャフト４に装着されたグリップ５を交換する場合、図３に示すようにグリップ５とクラブシャフト４を保持部材６の保持口６ｂから差し込み、グリップエンド５ａがボックス本体１の底面の凹所１ｃに入り込むまで差し込む。このときボックス本体１内にグリップ５全体が完全に入り込み、かつクラブシャフト４が起立した状態に保持される。この保持状態のもとで温風器３によりボックス本体１内に熱風を吹き込んでボックス本体１内の温度がたとえば７０〜８０度の状態でグリップ５を３分〜５分程度加熱する。これによりボックス本体１内にてグリップ５全体を均一状に加熱することができる。次に、グリップ５とクラブシャフト４をボックス本体１から引き出して全体が均一状に暖められたグリップ５をカッターによりカットする。このとき、全体が均一状に軟らかくなっているのでスムーズにカットでき、グリップ５の交換作業が簡単容易にかつ正確迅速に行なうことができる。また、グリップ５をカットせずにシャフト４から取り外すため、接着剤の溶解液を収容した注射器の針をグリップ５とシャフト４との間に差し込んで溶解液を注入する際にも、注射器の針を楽に挿入することができ、かつ、溶解液もグリップ全体に回り易くなり、グリップ５の取り外し作業が簡単容易に行なえる。
【００１３】  一方、シャフトに新たなグリップ５を入れ替えたり、或いは取り外したグリップ５を再びシャフト４に入れなおす場合、まず、図３に示すようにグリップ５とシャフト４を保持部材６の保持口６ｂから差し込んでグリップ５をボックス本体１内に吊り下げ状態に保持する。その状態のもとで温風器３によりボックス本体１内に熱風を吹き込んでボックス本体１内の温度がたとえば７０〜８０度の状態でグリップ５を３分〜５分程度加熱する。これによりグリップ５全体を均一状に加熱することができる。次に、グリップ５の軸孔に両端粘着テープが巻き付けられたシャフト４の先端部分を挿入して両面粘着テープの表面にグリップ５の軸孔の内周面を接着固定すればよい。このとき、グリップ５全体が均等に加熱されているので、グリップ５の口の部分が裂けたりすることがなくなり、また、グリップエンド３ａまでしっかりとシャフト５を入れることができ、さらにはグリップ５の凸凹やよじれの発生も防止できて装着時の見栄えもよくなる。
【００１４】  また上記した実施の形態では、貫通孔１ｂ…１ｂを複数（図１では８個）形成しているので、複数のグリップ５やクラブシャフト４を同時に加熱することができ、複数のグリップ５を効率よく入れ替えして交換できる。なお、貫通孔１ｂは複数設ける他、たとえば１つであってもよい。
【符号の説明】
【００１５】  １      ボックス本体
１ａ    上壁
１ｂ    貫通孔
３      温風器
４      シャフト
５      グリップ
６      保持部材
【図１】
0003160549.tif 000003
【図２】
0003160549.tif 000004
【図３】
0003160549.tif 000005